(57)【要約】      （修正有）【課題】画像認識技術を適用することによって記録済みの画像データの管理をいままでよりもより行ない易くするとともに、そのデータの管理を行ない易くしたことにより様々なシステムへの拡張が簡単に図れる撮影装置およびプリント装置を提供する。【解決手段】画像信号処理回路１０＿４４に、合焦領域内の人物像の認識を画像認識技術により行なわせてさらに画像信号処理回路内の計数回路にその人物像の数を計数させる。その計数値がＣＰＵ１０＿４７に通知されたら、その通知を受けたＣＰＵ１０＿４７は、撮影画像内の人数に相当する計数値を記録部１０＿５３に通知してその記録部１０＿５３にＥｘｉｆファイルのヘッダへの計数値の追加記録を行なわせる。【選択図】図２
2006325108.tif 000002
【特許請求の範囲】
【請求項１】
撮影光学系により撮像素子上に被写体像を結像し撮影操作に応じて記録用の画像データを生成して記録する撮影装置において、
撮影操作により得られた画像データに基づいて該画像データにより表わされる画像中の合焦領域を認識する合焦領域認識手段と、
前記画像データにより表わされる画像中の、前記合焦領域認識手段により認識された合焦領域内の人物像の数を計数する人数計数手段と、
前記人数計数手段により計数された人物像の数と、撮影操作により得られた画像データとを対応付けて記録する記録手段とを備えたことを特徴とする撮影装置。
【請求項２】
この撮影装置は、さらに前記記録手段により記録された画像データ内の画像中の人物像の数に応じてプリント枚数を決定し該プリント枚数を前記画像データに対応づけて記録するプリント枚数決定手段を備えたことを特徴とする請求項１記載の撮影装置。
【請求項３】
この撮影装置は、前記プリント枚数決定手段にプリント枚数を決定する処理を行なわせるか否かを指示するための操作子を備えたものであって、
前記操作子は、撮影前の操作、もしくは前記記録手段による記録前の操作を受け付けるものであることを特徴とする請求項１記載の撮影装置。
【請求項４】
撮影光学系により撮像素子上に被写体像を結像し撮影操作に応じて記録用の画像データを生成して記録する撮影装置を備え、前記撮影操作に応じて前記撮像素子で生成された画像データに基づく画像をインスタントフィルムシート上にプリントして出力するプリント装置において、
前記撮影装置が、撮影操作により得られた画像データに基づいて該画像データにより表わされる画像中の合焦領域を認識する合焦領域認識手段と、
前記画像データにより表わされる画像中の、前記合焦領域認識手段により認識された合焦領域内の人物像の数を計数する人数計数手段と、
前記人数計数手段により計数された人物像の数と、撮影操作により得られた画像データとを対応付けて記録する記録手段とを備え、
このプリント装置は、前記画像データに基づく画像を、前記人数計数手段によって計数された人数分プリント出力するものであることを特徴とするプリント装置。
【請求項５】
このプリント装置は、前記画像を、一枚のインスタントフィルムシート上に、人数分のプリントを行なって該一枚のインスタントフィルムシートを出力するものであることを特徴とする請求項４記載のプリント装置。
【発明の詳細な説明】
【技術分野】
【０００１】
本発明は、撮像素子上に被写体像を結像して画像データを生成する撮影装置およびその撮影装置を具備したプリント装置に関する。
【背景技術】
【０００２】
最近のデジタルカメラは、撮影後の画像データの管理が行ない易いように、画像データとともに日時を表わすデータや場所を表わすデータを画像データのヘッダ情報として付け加えることにより画像データを画像ファイルという形にして記録メディア等に記録するものが多い。このように画像データを撮影したときの情報がヘッダに記録されていると、記録済みの画像データの中から自分の見たい画像データを検索するときに、画像データの内容を参照することなくヘッダ情報のみを参照すれば良くなるので非情に役立つ。撮影装置の中には、記録済みの画像データの管理機能を高めるために、操作により管理（検索）情報を入力することができるようにして入力した情報をヘッダに追加記録するようにしたり、ＧＰＳ受信機を内蔵して撮影時にそのＧＰＳ受信機により方位データを取得してその方位データをヘッダに追加記録するようにしたりしているものもある（例えば特許文献１，２，３参照）。
【０００３】
ところで、多数の人の顔を表わす顔データを用いて標準顔データを作成しておいて、その標準顔データを基に人の顔の認識を精度良く行なおうとする技術が提案されている（例えば特許文献４参照）。通常、画像認識を行なうにあたっては、計算量が膨大になるため、比較的大型のコンピュータを用いる必要があったが、上記特許文献４の技術を用いることによってマイクロコンピュータ（マイコン）クラスの小型のコンピュータにおいても充分に画像認識に必要な計算が行なえるようになってきている。
【０００４】
このようになってくると、マイコンを制御部として備えるデジタルカメラにおいてもその画像認識技術を搭載することが可能となる。また最近のデジタルカメラにおいては、特許文献５にもあるように合焦検出（以降ＡＦという）に要する時間も短縮されて高速ＡＦが行なえるようになってきているので、その高速ＡＦ技術と上記画像認識技術との双方をうまく組み合わせると高速であってしかも精度の高い画像認識が行なえるようになる。
【特許文献１】特開２００１−２２８５２８号公報
【特許文献２】特開２００２−７７８０５号公報
【特許文献３】特開平７−２９６００１号公報
【特許文献４】特開平７−１２８０３１号公報
【特許文献５】特開２００２−１１６３６９号公報
【発明の開示】
【発明が解決しようとする課題】
【０００５】
このように高速であってしかも精度の高い画像認識が行なえるようになると、この精度の高い画像認識技術を撮影装置にどのように適用するかが課題となってくる。
【０００６】
本発明は、上記事情に鑑み、上記画像認識技術を適用することによって記録済みの画像データの管理をいままでよりもより行ない易くするとともに、そのデータの管理を行ない易くしたことにより様々なシステムへの拡張が簡単に図れる撮影装置、さらにその撮影装置を備えたプリント装置を提供することを目的とする。
【課題を解決するための手段】
【０００７】
上記目的を達成する本発明の撮影装置は、撮影光学系により撮像素子上に被写体像を結像し撮影操作に応じて記録用の画像データを生成して記録する撮影装置において、
撮影操作により得られた画像データに基づいてその画像データにより表わされる画像中の合焦領域を認識する合焦領域認識手段と、
上記画像データにより表わされる画像中の、上記合焦領域認識手段により認識された合焦領域内の人物像の数を計数する人数計数手段と、
上記人数計数手段により計数された人物像の数と、撮影操作により得られた画像データとを対応付けて記録する記録手段とを備えたことを特徴とする。
【０００８】
上記本発明の撮影装置によれば、従来よりある上記画像認識技術を利用して上記合焦領域内の人物像の数が上記人数計数手段により計数される。その人数計数手段により得られた人物像の数と撮影操作により得られた画像データとが対応付けられ上記記録手段により画像データが記録媒体例えばメモリカードに記録される。
【０００９】
そうすると、例えば人物像の数が０人であったか否かによって風景撮影等と人物撮影等とが分類され、さらに人物撮影であった場合には、１人であったか、２人以上であったかによって、自分撮り等と集合撮影とが上記記録手段により分類されて記録されることになる。このように撮影画像内の人物像の数によって撮影画像が表わす画像データが分類されて記録メディア等に記録されるようになると、記録メディア内の多数の画像データが撮影日時によっても分類されるし、撮影場所によっても分類されるし、さらには撮影画像の内容（上記においては人物像の数）によっても分類されるようになる。このように撮影日時、撮影場所、さらには撮影人数によって画像データの分類が行なわれるようになると、撮影日時ごとのファイリング、撮影場所ごとのファイリング、さらには撮影人数ごとのファイリングという風に様々なファイリングが適応的に行なえるようになって、さらに検索システムなどと組み合わせることによって効率的なファイリングシステムが構築されるようになる。
【００１０】
すなわち、上記画像認識技術を適用することによって記録済みの画像データの管理をいままでよりもより行ない易くするとともに、そのデータの管理を行ない易くしたことにより様々なシステムへの拡張が簡単に図れる撮影装置が実現される。
【００１１】
ここで、この撮影装置は、さらに上記記録手段により記録された画像データ内の画像中の人物像の数に応じてプリント枚数を決定しそのプリント枚数を前記画像データに対応づけて記録するプリント枚数決定手段を備えた態様であることが好ましい。
【００１２】
デジタルカメラの中にはＤＰＯＦ（Ｄｉｇｉｔａｌ  ｐｒｉｎｔ  Ｏｒｄｅｒ  Ｆｏｒｍａｔ）と呼ばれる規格に基づくプリント予約システムを導入しているものもある。上記本発明の撮影装置のように上記プリント枚数決定手段を備えていると、そのプリント枚数決定手段とＤＰＯＦ機能とを組み合わせることにより今までよりもさらに簡単なプリント予約システムをユーザに提供することができるようになる。
【００１３】
また、プリント枚数決定手段にプリント枚数を決定させるにあたって、ユーザに判断をさせるようにしておくとより柔軟なサービスをユーザに提供することができるようになる。
【００１４】
そのような場合には、この撮影装置は、上記プリント枚数決定手段にプリント枚数を決定する処理を行なわせるか否かを指示するための操作子を備えたものであって、
上記操作子は、撮影前の操作、もしくは上記記録手段による記録前の操作を受け付けるものである態様であることが好ましい。
【００１５】
そうするとユーザは、撮影前、もしくは記録前に操作により上記プリント枚数決定手段に処理を行なわせるか否かを指示することができる。
【００１６】
例えばユーザが、上記プリント枚数決定手段に処理を行なわせたいと思った場合などには、上記操作子を操作することにより上記プリント枚数決定手段に処理を行なわせる指示をすると上記プリント枚数決定手段にプリント枚数を決定させ決定させたプリント枚数を上記記録手段に画像データとともに記録させることができる。また、ユーザが上記プリント枚数決定手段に処理を行なわせるとプリント枚数が自分の思っている枚数よりも多くなってしまいそうだなあと思った場合などには、上記操作子を操作することにより処理を行なわせない指示をすると上記プリント枚数決定手段に処理させずに画像データのみを記録させることができる。
【００１７】
また、上記課題を解決する上記本発明のプリント装置は、撮影光学系により撮像素子上に被写体像を結像し撮影操作に応じて記録用の画像データを生成して記録する撮影装置を備え、上記撮影操作に応じて上記撮像素子で生成された画像データに基づく画像をインスタントフィルムシート上にプリントして出力するプリント装置において、
上記撮影装置が、撮影操作により得られた画像データに基づいてその画像データにより表わされる画像中の合焦領域を認識する合焦領域認識手段と、
上記画像データにより表わされる画像中の、上記合焦領域認識手段により認識された合焦領域内の人物像の数を計数する人数計数手段と、
上記人数計数手段により計数された人物像の数と、撮影操作により得られた画像データとを対応付けて記録する記録手段とを備え、
このプリント装置は、上記画像データに基づく画像を、上記人数計数手段によって計数された人数分プリント出力するものであるこを特徴とする。
【００１８】
上記本発明のプリント装置によれば、上記撮影装置が備える上記合焦領域認識手段により認識された合焦領域内の人物像の数が計数され、さらに上記記録手段により撮影操作により得られた画像データとが対応づけられ記録された後、上記プリント装置によってその画像データに基づく画像が上記人数計数手段により計数された人数分プリント出力される。
【００１９】
例えばプリクラ（登録商標）などに上記プリント装置を適用すると、仲間同士で撮影したときに上記プリンタ装置の上記撮影装置で撮影した写真を仲間の人数分だけプリント出力するようなことが行なえる。
【００２０】
そうすると、予め枚数を指定するような操作を行なわなくても自動的に人数分の写真がプリント出力されるようになるので、非情に便利になる。
【００２１】
ここで、このプリント装置は、上記画像を、一枚のインスタントフィルムシート上に、人数分のプリントを行なってその一枚のインスタントフィルムシートを出力するものであることが好ましい。
【００２２】
上記のように人数分のプリント写真をプリント出力するようにしておくと、料金上、不都合が生じる場合もある。そのような場合には、一枚のインスタントフィルムシート上に人数分の写真を分割して作成しておいて後でカッティングにより人数分の写真プリントを作成することができるようにしておくと良い。そうすると、一人で撮影したときの料金と複数の人数で撮影したときの料金とを同じ料金にすることができ、ユーザに経済的な負担を負わせるようなことがなくなる。
【発明の効果】
【００２３】
以上、説明したように、上記画像認識技術を適用することによって記録済みの画像データの管理をいままでよりもより行ない易くするとともに、その管理されている画像データの活用が容易に行なえる撮影装置が実現される。また、その撮影装置で撮影した画像データを活用するにあたってその撮影装置のメリットが如何なく発揮されたプリント装置も実現される。
【発明を実施するための最良の形態】
【００２４】
以下、本発明の実施の形態について図を参照して構成を説明する。
【００２５】
図１は、本発明の撮影装置の一実施形態であるデジタルカメラ１０を斜め上から見た外観斜視図である。図１（ａ）には、デジタルカメラ１０の正面を斜め上から見た図が示されており、図１（ｂ）には、デジタルカメラ１０の背面を斜め上から見た図が示されている。
【００２６】
図１（ａ）に示すデジタルカメラ１０の前面中央部には、光学ズームレンズである撮影レンズ１０＿１ａを内部に備えたズーム鏡胴１０＿１が備えられている。そのズーム鏡胴１０＿１の上方には、被写界輝度が暗い場合にフラッシュ光を被写体に向けて照射するためのフラッシュ発光窓１０＿２が設けられている。またそのフラッシュ発光窓１０＿２の横には背面側にある光学式ファインダ接眼窓（後述する）と対となる光学式ファインダ対物窓１０＿３が設けられている。また、デジタルカメラ１０上面には、レリーズボタン１０＿４が配備されている。
【００２７】
一方、図１（ｂ）に示すデジタルカメラ１０の背面上部には、光学式ファインダ接眼窓１０＿５と、撮影準備完了等に点灯したり撮影中に点滅したりするファインダランプ１０＿６と、撮影モードと再生モードを切り換えるモードスイッチ１０＿７と、押下することにより広角側（ワイド側）にズームアップしたり押下することにより望遠側（テレ側）にズームアップするズームボタン１０＿８などが配備されている。
【００２８】
そのズームボタン１０＿８の下側には、メニュー／ＯＫボタン１０＿９と、ＤＩＳＰボタン１０＿１０と、ＢＡＣＫボタン１０＿１１とが備えられている。このメニュー／ＯＫボタン１０＿９は、撮影時や再生時における各種のメニューを表示したり、選択されたメニューを決定するためのボタンである。また上記ＤＩＳＰボタン１０＿１０は、ボタン横の液晶モニタ１０＿３０１に表示された画面の状態を切り換えるためのボタンであり、例えば撮影時に液晶モニタ１０＿３０１の表示をオン，オフしたり、再生時に文字表示をオン，オフしたりする。またＢＡＣＫボタン１０＿１１は、ＭＥＮＵ／ＯＫボタン１０＿９等による操作状態を１つ前に戻したり取り消したりするためのボタンとなる。
【００２９】
また、本実施形態のデジタルカメラには、モードスイッチ１０＿７が再生モード側に切り替えられた状態にあるときに作用する検索モードが配備されている。再生モード中にこの検索モードが選択されると、液晶モニタ１０＿３０１上に、選択項目として０人（風景撮影）、1人（自分撮り等）、２人（ツーショット）、３人以上（集合撮影）の４つの選択項目が表示されそれらの中からいずれかがＯＫボタン１０＿９等の操作により指定されると、指定された人数の人物像のある画像を表わす画像データを有するファイルの数や名称（例えば０人が指定されたら、「風景撮影」＊＊件  ファイル名１、ファイル名２、ファイル名３…・といった風に）等が表示画面上に表示されるようにもなっている。
【００３０】
さらに、本実施形態のデジタルカメラには、撮影した画像内の人物像の数を数えてプリント枚数を自動的に決定するプリントオートモードが配備されている。このプリントオートモードが操作によりＯＮ側に切り替えられると、撮影した被写体内の人物像の数に応じて画像ファイルのヘッダに人物の数が記録されてプリント予約が自動的に行なわれるようにもなっている。このときには人物が０人であることもあるので、オートプリント設定画面上に、‘風景（人物０人）のときには何枚のプリント枚数を指定してしますか‘などの問い合わせを行なってユーザに枚数の選択を行なわせるようにもしている。ここでこの表示画面上の表示を見ても枚数の選択がユーザによって行なわれない場合にはデフォルトの値として１（枚）が選択され設定されるようになっている。
【００３１】
図２は、図１に示すデジタルカメラ１０の回路構成を示すブロック図である。
【００３２】
図２には撮像素子１０＿４１以降の回路を働かせるために必要な撮影レンズも図示されており、その撮影レンズがどのようなものであるかを示すため、その撮影レンズの主要な構成要素であるズームレンズ１０＿１ａ１とフォーカスレンズ１０＿１ａ２とが図示されている。これらのレンズを含む撮影レンズ１０＿１ａにより後段のＣＣＤ１０＿４１に被写体光を結像させてそのＣＣＤ１０＿４１に被写体光を表わす画像信号の生成を行なわせている。
【００３３】
このデジタルカメラ１０は、ＣＰＵ１０＿４７によって統括的に制御されており、この例のＣＰＵ１０＿４７はプログラムメモリ１０＿４７１を内蔵するものである。
以降、ＣＣＤ１０＿４１にどのように画像信号を生成させ、またどのように生成した画像信号を後段の回路へと伝達していくかを説明していく。
【００３４】
まず、電源が投入されモードスイッチ１０＿７が撮影モード側にあったときに液晶モニタ１０＿３０１上に表示されるスルー画を表わす画像信号の流れを説明する。
【００３５】
ＣＣＤ１０＿４１にスルー画用の画像信号の生成を行なわせるにあたっては、後述するＣＰＵ１０＿４７の制御の基、図示しないタイミングジェネレータに露光開始信号および露光終了信号を所定の周期で繰り返しＣＣＤ１０＿４１に供給させることによりＣＣＤ１０＿４１にスルー画を表わす画像信号の生成を所定の周期ごとに行なわせている。このタイミングジェネレータ（図示せず）からの露光終了信号に応じてＣＣＤ１０＿４１での露光を終了させた後、ほぼ同時に露光を終了させた、スルー画を表わす画像信号（以降ＲＧＢ信号）をＣＣＤ１０＿４１から出力させている。
【００３６】
このようにしてＡ／Ｄ変換回路１０＿４２にスルー画用のＲＧＢ信号が出力されてきたら、Ａ／Ｄ変換回路１０＿４２によりアナログのＲＧＢ信号がデジタルのＲＧＢ信号に変換される。そうしたらデジタルのＲＧＢ信号が後段の画像入力コントローラ１０＿４３によりバスライン１０＿１００に導かれる。
【００３７】
この画像入力コントローラ１０＿４３によりバスライン１０＿１００に導かれた、スルー画用のデジタルのＲＧＢ信号は画像信号処理回路１０＿４４に供給され、この画像信号処理回路１０＿４４でデジタルのＲＧＢ信号からデジタルのＹＣ信号に変換される。その画像信号処理回路１０＿４４で変換されたＹＣ信号が表示部１０＿３０の駆動制御部１０＿３００に供給され表示部１０＿３０の液晶モニタ１０＿３０１上にＹＣ信号に基づく画像が表示される。このＹＣ信号は、所定の周期ごとにＣＣＤ１０＿４１で生成されるものであるから、液晶モニター１０＿３０１上には所定の周期ごとにＹＣ信号に基づく画像が切り替えられて表示されるようになる。このようにしておくと液晶モニタ１０＿３０１上に撮影レンズ１０＿１ａが向けられた方向の被写体がそのままスルー画として表示される。
【００３８】
つまり、光学ファインダを覗かずに液晶モニタ１０＿３０１をファインダ代わりに視認する様にしてもシャッタチャンスにレリーズボタン１０＿４を押下することにより撮影が行なわれるようになる。
【００３９】
ここで、スルー画を見てシャッタチャンスにレリーズボタン１０＿４が押されると撮影処理が開始される。本実施形態のレリーズボタン１０＿４は、半押しと全押しの２つの操作態様を有しており、レリーズボタン１０＿４が半押し状態になると一方のスイッチ（以降第１の接点という）１０＿４Ａが接続されてＣＰＵ１０＿４７によって半押し状態が検知され、全押し操作されると他方のスイッチ１０＿４Ｂ（以降第２の接点という）も接続されて全押しされたことがＣＰＵ１０＿４７によって検知される。
【００４０】
ＣＰＵ１０＿４７は、半押しを検知したときにＡＥ検出回路１０＿５０およびＡＦ検出回路１０＿５１それぞれに所定の処理を行なわせて、全押しを検知したときにタイミングジェネレータ（図示せず）にシャッタスピードに応じた露光開始信号および露光終了信号をＣＣＤ１０＿４１に向けて出力させる。
【００４１】
上記ＡＥ検出回路１０＿５０には露出設定に必要な輝度の検出を行なわせていて、このＡＥ検出回路１０＿５０での検出結果に応じてＣＰＵ１＿４７は図示しない絞りの開口径を調節したり全押し時にフラッシュ発光装置１０＿１２０にフラッシュ光の発光を行なわせたりしている。
【００４２】
また上記ＡＦ検出回路１０＿５１には、ＣＰＵ１０＿４７の制御の基、モータドライバ１０＿４９に指示してフォーカスレンズ１０＿１ａ２を最至近点から最遠点まで移動させているときの、途中の複数の位置それぞれで被写体コントラストの検出を行なわせて各位置で検出された被写体コントラストのピークを合焦点とするような処理を行なわせている。
【００４３】
このようにして全押し時にＣＣＤ１０＿４１に結像させていた画像を表わす画像信号をＣＣＤ１０＿４１に出力させた後、Ａ／Ｄ変換回路１０＿４２によりデジタル信号に変換されたＲＧＢ信号が画像入力コントローラ１０＿４３によってバスライン１０＿１００に導かれる。
【００４４】
このバスライン１０＿１００に導かれたＲＧＢ信号は一旦メモリ（ＳＤＲＡＭ）１０＿５２にすべて記憶され、その後、メモリ１０＿５２から読み出されて画像信号処理回路１０＿４４に供給される。この画像信号処理回路１０＿４４によってＲＧＢ信号がＹＣ信号に変換され、変換されたＹＣ信号が今度は圧縮処理回路１０＿４４に供給され、圧縮処理回路１＿４４でＪＰＥＧ圧縮される。さらにそのＪＰＥＧ圧縮されたＹＣ信号が記録部１０＿５３に供給され、記録部１０＿５３によって画像データに圧縮情報などのヘッダ情報が付加され画像ファイル（Ｅｘｉｆファイル）となって記録メディア１０＿５４に記録される。
【００４５】
またこの実施形態では、上記画像信号処理回路１０＿４４により、撮影時にＲＧＢ信号からＹＣ信号への変換が行われる他、上記画像信号処理回路１０＿４４内に配備されている画像認識機能（前述の特許文献４に記載されている技術を適用している）によって人物像の認識が行なわれ、さらに画像信号処理回路１０＿４４内の計数回路によって認識した人物像の数の計数が行なわれている。前述したオートモードがＯＮ側に切り替えられているときには、この画像信号処理回路１０＿４４の画像認識機能により認識された人物像の数の計数結果がＣＰＵ１０＿４７に通知され、その通知を受けたＣＰＵ１０＿４７は、記録部１０＿５３に、ヘッダと圧縮画像データとからなるＥｘｉｆファイルの記録を行なわせるにあたってヘッダ情報として撮影日時や撮影場所に加えて上記人物像の数の記録も行なわせている。
【００４６】
このようにヘッダ情報として人物像の数が記録されていると、上記撮影装置を再生モードにして、さらに前述した検索モードが選択されると、人物像の数によっても検索が行なえるようになる。このようにすると、日付ごと、場所ごと等のほか、人物像の数によっても画像データの管理が行なえるようになる。また、ＤＰＯＦを用いてプリント予約を行なおうとするときに、今までであればプリント予約モードに入ってプリント枚数を後から入力するようなことを行なっていたが、本発明によればプリント枚数の予約が自動的に行なえるようになる。
【００４７】
図３は、撮影時にＣＰＵ１０＿４７が行なう撮影処理の手順を示すフローチャートである。
【００４８】
ステップＳ３０１で人物と現像枚数を一致させるかを、つまり前述したオートプリントモードがＯＮ状態にあるかないかを判定する。
【００４９】
このステップＳ３０１でＯＮ状態にあると判定したらＮｏ側に進んでステップＳ３０４にジャンプして撮影を開始する。このステップＳ３０１でＯＮ状態にあると判定したらＹｅｓ側に進んでステップＳ３０２で現像Ｆｌａｇ（フラグ）を１にする。さらに次のステップＳ３０３で人数０のときの枚数選択を行なっておく。ここでは前述したオートプリントモードの選択時に表示画面上で選択が行なわれていないとしてデフォルト値である１枚を設定し、次のステップＳ３０４で撮影を開始する。
【００５０】
次のステップＳ３０５でフォーカスのあった合焦領域を抽出して、ステップＳ３０６で画像認識を行なう領域を設定する。そうしたら次のステップＳ３０７でその決定した領域内の人物像の数を数える。次のステップＳ３０８で撮影日時や撮影場所などを画像情報としてＥｘｉｆファイルのヘッダ部に記録して次のステップＳ３０９へ進む。このステップＳ３０９でＦｌａｇが１であるかどうかを判定して１であったらＹｅｓ側に進んでステップＳ３１０でプリント予約枚数をＥｘｉｆファイルのヘッダ部に追加記録してこのフローの処理を終了する。またステップＳ３０９で１ではないと判定したらＮｏ側に進んでこのフローの処理を終了する。
【００５１】
ここで、ステップＳ３０５のフォーカスのあった合焦領域の抽出をどのように行なっているかを図４と図５を参照して具体的に説明する。
【００５２】
図４は、撮影画面内の合焦領域の位置を示した図であり、図５は、撮影画像中の合焦領域の抽出例を示す図である。
【００５３】
本実施形態のデジタルカメラにおいては、図４に示すように撮影画面全体を複数の領域（図４では２５分割されている）に分割して各領域ごとに空間周波数を検出して最も高周波成分が多く存在する領域を合焦領域（図中ハッチングが付されている領域）とするＡＦを行なっている。この例では合焦領域（ハッチング部）を含む、一回り大きなＣ領域内の画像の中から人物像を認識するようなことを行なって撮影に関係のない人物像の計数をなるべく行なわないようにして、しかも撮影を意図した人物数を的確に計数することができるようにしている。このようにしておくと撮影に関係のない人物像の数はカウントされないので、ヘッド部に記録する人物像の人数に応じてプリント予約を行なったとしても無駄なプリント予約がおこなわれない。
【００５４】
図５には、撮影に関係のない人物像の数が計数されずに合焦領域内の人物像の数のみが計数されている状況を説明する図である。
【００５５】
図中、点線で囲まれた部分が合焦領域とその周辺の領域である。このようにしておくと撮影を意図した人物の数のみが数えられることになって、撮影に関係のない人物の数は省かれることになる。
【００５６】
こうしてプリント予約を行なおうとしたときに撮影を意図した人の数分だけプリント予約が行なわれるようになるので、必要以上の枚数の写真がプリント出力されて何枚かの写真が無駄になることがない。また、再生モード時に検索モードを用いて画像データの検索を行なう上においても撮影を意図した人物の数が検索コードとして検索が行なわれることになるので、人数の間違いが少ないので人数を管理コードとする場合などにおいて非情に正確な管理システムが構成されるようになる。
【００５７】
以上説明したように、上記画像認識技術を適用することによって記録済みの画像データの管理をいままでよりもより行ない易くするとともに、そのデータの管理を行ない易くしたことにより様々なシステム（例えばＤＰＯＦであるとか、検索システムであるとか）への拡張が簡単に図れる撮影装置が実現される。
【００５８】
ここで、さらに上記本発明の撮影装置を例えば通称プリクラ（登録商標）と呼ばれるプリント装置に適用した場合の例を説明する。
【００５９】
図６は、プリント装置の内部構成を示す図であり、図７は、そのプリント装置内のＣＰＵが行なう処理を示すフローチャートである。また図８は、そのプリント装置からプリント出力されたプリント写真の図柄を説明する図である。
【００６０】
図６には、図２の記録部１０＿５３と記録メディア１０＿５４が省かれて、その代わりにプリント部１０＿５５が接続された例が示されている。図６に示すプリント装置によれば、図２の記録部１０＿５３によって記録メディア１０＿５４に画像データが記録される代わりに、プリント部１０＿５５によって画像データに基づく画像がプリントされたインスタントフィルムシートが外部へとプリント出力される。
【００６１】
この例では、図６に示す画像信号処理回路１０＿４４に、ＡＦ検出回路１０＿５１の検出結果に基づいて抽出した合焦領域内の人物像の認識を行なわせるとともに、さらに画像信号処理回路１０＿４４に認識させた人物像の数を計数させ、さらに画像データのサイズ変換処理を行なわせてそのサイズ変換処理させ縮小させたサイズの画像データを複数、１フレーム中に生成させている。その後、ＣＰＵ１０＿４７が、画像信号処理回路１０＿４４でのサイズ変換処理の終了フラグを受けてＣＰＵ１０＿４７がその生成させた画像データをプリント部１０＿５５に転送するようにしている。
【００６２】
そうしたらＣＰＵ１０＿４７は、プリント部１０＿５５にプリント出力を開始させて、画像データに基づく画像をプリントさせる。
【００６３】
図７は、ＣＰＵ１０＿４７が行なう、およびそのＣＰＵ１０＿４７が各部に行なわせる処理の手順を示すフローチャートである。
【００６４】
ステップＳ７０１で人物と現像枚数を一致させるかを、つまり前述したオートプリントモードがＯＮ状態にあるかないかを判定する。
【００６５】
このステップＳ７０１でＯＮ状態にあると判定したらＮｏ側に進んでステップＳ７０３にジャンプして撮影を開始する。このステップＳ７０１でＯＮ状態にあると判定したらＹｅｓ側に進んでステップＳ７０２で現像Ｆｌａｇ（フラグ）を１にして次のステップＳ７０３で撮影を開始する。
【００６６】
次のステップＳ７０４で画像認識を行なって次のステップＳ７０５でその決定した領域内の人物像の数を数える。次のステップＳ７０６でＦｌａｇが１であるかどうかを判定して１であったらＹｅｓ側に進んでステップＳ７０８で分割数分の現像を行なってインスタントフィルムシートを出力してこのフローの処理を終了する。またステップＳ７０６で、フラグが１ではないと判定したらＮｏ側に進んで、ステップＳ７０７で例えばユーザ操作により分割枚数を入力させてステップＳ７０８で分割数分の現像を行なってインスタントフィルムシートを出力してこのフローの処理を終了する。
【００６７】
図８にはステップＳ７０８の処理の例として、２人の場合には２分割して同じ画像データに基づく画像を並べるようにし４人の場合には４分割して同じ画像データに基づく画像を上下左右に並べるようにしてインスタントフィルムシート上に分割して画像データに基づく画像を生成してプリント出力させたときのインスタントフィルムシート上の図柄が示されている。
【００６８】
このようにして１枚のインスタントフィルムシート上に人数分の画像が生成されてプリント出力されると、ユーザは一枚のインスタントフィルシートをカッティングするなどすることによって写真に写っている人それぞれに写真を手渡すことができる。
【００６９】
このようなプリント装置に上記本発明の撮影装置が適用されると、撮影装置が持つ管理のし易さから使い勝手の良いプリント装置が実現される。
【００７０】
また、上記実施形態では１枚のインスタントフィルムシート内に同じ画像をいくつか作成して出力して後からユーザにカッティングを行なってもらうような構成を示したが、同じ画像を複数枚のインスタントフィルムシート上に形成して人数分のインスタントフィルムシートをプリント出力させることもできる。
【図面の簡単な説明】
【００７１】
【図１】本発明の撮影装置の一実施形態であるデジタルカメラ１０を斜め上から見た外観斜視図である。
【図２】図１に示すデジタルカメラ１０の回路構成を示すブロック図である。
【図３】ＣＰＵ１０＿４７が行なう撮影処理の手順を示すフローチャートである。
【図４】撮影画面内の合焦領域の位置を示した図である。
【図５】撮影画像中の合焦領域の抽出例を示す図である。
【図６】プリント装置の内部構成を示す図である。
【図７】プリント装置内のＣＰＵ１０＿４７が行なう撮影処理の手順を示すフローチャートである。
【図８】プリント装置からプリント出力されたプリント写真の図柄を説明する図である。
【符号の説明】
【００７２】
１０  デジタルカメラ
１０＿４  レリーズボタン
１０＿４Ａ    第１の接点
１０＿４Ｂ    第２の接点
１０＿４７    ＣＰＵ
１０＿４７１    プログラムメモリ
１０＿４７２    不揮発性メモリ
１０＿５０    ＡＥ検出回路
１０＿５１    ＡＦ検出回路
１０＿５３    記録部
１０＿５４    記録メディア
１０＿５５    プリント部
【図１】
2006325108.tif 000003
【図２】
2006325108.tif 000004
【図３】
2006325108.tif 000005
【図４】
2006325108.tif 000006
【図５】
2006325108.tif 000007
【図６】
2006325108.tif 000008
【図７】
2006325108.tif 000009
【図８】
2006325108.tif 000010